(57)【要約】【課題】本発明は、製作コストの軽減を図ることができ、製作作業の負担の削減を図ることができる制御機器のアクチュエータを提供することを目的とする。【解決手段】本発明は、コイルボビン２１の外周に導線が巻かれてなるコイル２２と外部電源とを接続するための端子ケース部１３を有する電磁弁において、端子ケース部１３は、コイル２２に接続されるジョイント部４２と外部電源に接続されるＤＩＮ端子部４１との一体成形品である接続部材（３４ａ，３４ｂ）を有することを特徴とする。【選択図】図１
2007134553.tif 000002
【特許請求の範囲】
【請求項１】
コイルボビンの外周に導線が巻かれてなるコイルと外部電源とを接続するための端子ケース部を有するアクチュエータにおいて、
前記端子ケース部は、前記コイルに接続されるコイル接続部と外部電源に接続される外部電源用端子部との一体成形品である接続部材を有すること、
を特徴とするアクチュエータ。
【請求項２】
請求項１に記載するアクチュエータにおいて、
前記接続部材は、前記コイル接続部がＬ字型に形成されＬ字型の一端に前記外部電源用端子部が形成されているものであって、前記コイル接続部と前記外部電源用端子部とが垂直に交わるように形成されていること、
を特徴とするアクチュエータ。
【請求項３】
請求項１または請求項２に記載するアクチュエータにおいて、
前記外部電源用端子部は突起部を備えること、
を特徴とするアクチュエータ。
【請求項４】
請求項１乃至請求項３に記載するいずれか一つのアクチュエータにおいて、
前記コイル接続部には、コイルのピン端子を接続するためのコイル端子接続孔が複数個形成されていること、
を特徴とするアクチュエータ。
【発明の詳細な説明】
【技術分野】
【０００１】
本発明は、制御機器のアクチュエータに関するものである。
【背景技術】
【０００２】
従来より、制御機器のアクチュエータとして代表される電磁弁では、外部電源との接続のために、図２０、図２１に示すようなＤＩＮ端子箱１１３を有している。図２０は上面図を、図２１は図２０におけるＡ−Ａ断面図を示している。
【０００３】
図２０、図２１に示すように、ＤＩＮ端子箱１１３はケース１３３、２つのＤＩＮ端子１４１、基板１４２などから構成されている。ＤＩＮ端子１４１は、ケース１３３に備える取付孔１３３ａに圧入されている。ＤＩＮ端子１４１において圧入される側の一端部は、基板１４２に備える第１取付孔１４２ａに挿入され、半田１４０により基板１４２に接続されている。基板１４２に備える第２取付孔１４２ｂには電磁弁のアクチュエータ部に備えるコイル巻線のピン端子（不図示）が接続される。
【０００４】
基板１４２に備える第１取付孔１４２ａと第２取付孔１４２ｂは、それぞれ２つずつ形成されており、図２０に示すように、第１取付孔１４２ａと第２取付孔１４２ｂとの位置関係が左右対称になるように配置されている。２つの第１取付孔１４２ａのピッチ間隔は外部電源の端子のピッチ間隔に合わせており、２つの第２取付孔１４２ｂのピッチ間隔は電磁弁のコイル巻線の端子のピッチ間隔に合わせている。以上のようなＤＩＮ端子箱１１３により、電磁弁のアクチュエータ部と外部電源とが接続される。
【０００５】
なお、その他の従来の実施例として、ＤＩＮ端子１４１と電磁弁のコイル巻線の端子との接続において、基板１４２の代わりにジャンパー線を用いるものもある。
【特許文献１】特許２７３１３２１号公報（段落００２５−００３１、第５図）
【発明の開示】
【発明が解決しようとする課題】
【０００６】
しかしながら、従来の電磁弁においては以下の課題が存在する。
ＤＩＮ端子１４１と電磁弁のコイル巻き線のピン端子を確実に接続するため、基板１４２において左右対称に形成される第１取付孔１４２ａおよび第２取付孔１４２ｂのそれぞれのピッチ間隔や、第１取付孔１４２ａおよび第２取付孔１４２ｂとの間の位置間隔については、高い寸法精度が要求される。そのため、基板１４２の製作コストが大きくなってしまう。
【０００７】
また、ＤＩＮ端子１４１と基板１４２は半田１４０を用いて接合しており、半田付けの組み立て工数がかかり、製作作業の負担が生じてしまう。さらに、ＤＩＮ端子１４１と電磁弁のコイル巻き線のピン端子との接続のために、基板１４２やジャンパー線が別途必要になることから、部品点数が多くなってしまい、製作作業の負担が生じ、部品のコストも掛かってしまう。
【０００８】
また、１つの基板１４２に対して２つのＤＩＮ端子１４１を接合するため、ＤＩＮ端子１４１をケース１３３に備える取付孔１３３ａに圧入する時においては、２つのＤＩＮ端子１４１の圧入深さを揃える必要がある。そのため、製作作業の負担が生じてしまう。
【０００９】
そこで本発明は、製作コストの軽減を図ることができ、製作作業の負担の削減を図ることができる制御機器のアクチュエータを提供することを目的とする。
【課題を解決するための手段】
【００１０】
前記目的を達成するために、本発明は以下のようなことを特徴とする。
（１）本発明は、コイルボビンの外周に導線が巻かれてなるコイルと外部電源とを接続するための端子ケース部を有するアクチュエータにおいて、端子ケース部は、コイルに接続されるコイル接続部と外部電源に接続される外部電源用端子部との一体成形品である接続部材を有することを特徴とする。
【００１１】
（２）本発明は、（１）に記載するアクチュエータにおいて、接続部材は、コイル接続部がＬ字型に形成されＬ字型の一端に外部電源用端子部が形成されているものであって、コイル接続部と外部電源用端子部とが垂直に交わるように形成されていることを特徴とする。
【００１２】
（３）本発明は、（１）または（２）に記載するいずれか一つのアクチュエータにおいて、外部電源用端子部は突起部を備えることを特徴とする。
【００１３】
（４）本発明は、（１）乃至（３）に記載するいずれか一つのアクチュエータにおいて、コイル接続部には、コイルのピン端子を接続するためのコイル端子接続孔が複数個形成されていることを特徴とする。
【発明の効果】
【００１４】
このような特徴を有する本発明は、以下のような作用・効果を有する。
（１）本発明は、コイルボビンの外周に導線が巻かれてなるコイルと外部電源とを接続するための端子ケース部を有するアクチュエータにおいて、端子ケース部は、コイルに接続されるコイル接続部と外部電源に接続される外部電源用端子部との一体成形品である接続部材を有するので、外部電源やコイル端子との位置関係に精度よく対応した外部電源用端子接続部材を容易に製作できることから製作コストの軽減を図ることができ、ケースに外部電源用端子接続部材を圧入させるだけで外部接続用端子ケース部を組み立てができることから製作作業の負担の削減を図ることができる。
【００１５】
（２）本発明は、（１）に記載するアクチュエータにおいて、接続部材は、コイル接続部がＬ字型に形成されＬ字型の一端に外部電源用端子部が形成されているものであって、コイル接続部と外部電源用端子部とが垂直に交わるように形成されているので、（１）に記載する効果に加えて、左右対称の一対の接続部材を使用するにより端子間距離が異なる一対の外部電源端子と一対のコイル端子とを接続してコイルと外部電源を接続することができる。
【００１６】
（３）本発明は、（１）または（２）に記載するいずれか一つのアクチュエータにおいて、外部電源用端子部は突起部を備えるので、（１）または（２）に記載する効果に加えて、突起部の位置を管理しつつ突起部がケースに接触する位置まで接続部材をケースに圧入固定することにより外部電源用端子部についてケースからの突出量を管理することができ、外部電源端子との接続状態を向上させることができる。
【００１７】
（４）本発明は、（１）乃至（３）に記載するいずれか一つのアクチュエータにおいて、コイル接続部には、コイルのピン端子を接続するためのコイル端子接続孔が複数個形成されているので、電磁弁の大きさに応じてピン端子の位置が異なる場合でも、コイル接続部とピン端子を接続することができる。
【発明を実施するための最良の形態】
【００１８】
以下、本発明の実施例について説明する。
【実施例１】
【００１９】
本発明のアクチュエータの一例としてソレノイド部１１を有する電磁弁１について説明する。まず、電磁弁１の構成について説明する。図１は電磁弁１の断面図、図２は電磁弁１の上面図である。また、図３は電磁弁１のソレノイド部１１の側面図である。
【００２０】
図１に示すように、電磁弁１はソレノイド部１１と弁部１２とから構成されている。そして、ソレノイド部１１の中心には、両端部にフランジを有する中空円筒状のコイルボビン２１の胴部に銅線が巻かれたコイル２２がある。コイル２２の外周を囲んで、コの字の形状をした磁気枠２３，２４が天板同士を重ね合わせた状態でカシメにより固定されている。具体的には、コイルボビン２１の中空部の上側に固定鉄心２５が挿入され、固定鉄心２５の段差部が磁気枠２３，２４の天板の貫通孔に挿入されて上端がカシメられている。一方、コイルボビン２１の中空部の下側にガイドスリーブ２６を介して、可動鉄心２７が摺動可能に保持されている。
【００２１】
次に、ソレノイド部１１のコイル２２への配線を説明する。図４は、ソレノイド部１１のうち端子ケース部１３を取り外したときの構成を示す斜視図である。図４に示すように、コイル２２の銅線の２つの端部は、コイルボビン２１に取り付けられた１組のピン端子２９の各々にはんだ付け等により電気的に接続している。１組のピン端子２９は磁気枠２４の側板部２４ａに穿設されたピン端子用開口部３１より磁気枠２４の外部に出ている。また、磁気枠２４の側板部２４ａには、ピン端子用開口部３１の他にアース端子接続用開口部３２が穿設されている。
【００２２】
次に、ソレノイド部１１の構成の一つであって、コイル２２と外部電源を接続する端子ケース部１３について図５、図６により説明する。図５は外部接続用端子ケース部１３を磁気枠２４側から見た平面図を、図６は図５のＡ−Ａ断面図を示す。
【００２３】
外部接続用端子ケース部１３は、ケース３３、接続部材（３４ａ，３４ｂ）、アース端子３５などから構成される。ケース３３は、合成樹脂からなるものであり、図５、図６に示すように長方形に形成されている。
【００２４】
ここで、接続部材（３４ａ，３４ｂ）について説明する。図７、図８は各々左右対称の形状からなる接続部材（３４ａ，３４ｂ）の平面図、図９は接続部材３４の側面図を示している。接続部材（３４ａ，３４ｂ）は材質が黄銅にスズのメッキを施したものであり、図７〜図９に示すように板状に形成されており、ＤＩＮ端子部４１とジョイント部４２から構成される。接続部材（３４ａ，３４ｂ）は、図７、図８に示すようにジョイント部４２がＬ字型に形成され、Ｌ字の一端側にＤＩＮ端子部４１が形成されている。
【００２５】
このように接続部材３４はＤＩＮ端子部４１とジョイント部４２とが一体成形されたものであり、プレス加工などにより板金を打ち抜いた後、ＤＩＮ端子部４１とジョイント部４２とがほぼ垂直に交わるようにＤＩＮ端子部４１とジョイント部４２とを折り曲げて形成する。そのため、寸法精度を高めつつ安価に製作できることから製作コストの軽減を図ることができる。
【００２６】
ＤＩＮ端子部４１は、図７〜図９に示すようにジョイント部４２の一端に接続する接続部５４とＤＩＮ端子５５とを備える。
【００２７】
ジョイント部４２は、図７、図８に示すように幅がほぼ均一の長部５１と短部５２との組み合わせからなるＬ字型に形成されている。そして、長部５１には前記のピン端子２９を接続するためのコイル端子接続孔５３が３箇所形成されている。このようにコイル端子接続孔５３が複数個形成されているのは、電磁弁１の大きさに応じてピン端子２９の位置が異なる場合でも、ジョイント部４２とピン端子２９を接続することができるように対応させたものである。
【００２８】
図１０はケース３３に接続部材（３４ａ，３４ｂ）を圧入固定するときの概要図である。図１０に示すように、予め接続部材（３４ａ，３４ｂ）のジョイント部４２をソレノイド部１１の仕様に合わせて適切な長さに切断しておく。そして、接続部材（３４ａ，３４ｂ）のＤＩＮ端子部４１をケース３３の貫通孔３３ａに圧入し、ジョイント部４２の平面部分がケース３３の磁気枠２４側の端面に接触する位置まで圧入ことにより、ケース３３に接続部材（３４ａ，３４ｂ）を固定する。このように、接続部材（３４ａ，３４ｂ）がケース３３に圧入されるので、接続部材（３４ａ，３４ｂ）は確実にケース３３に固定される。
【００２９】
特に本発明では、接続部材（３４ａ，３４ｂ）は幅広に形成されるＤＩＮ端子部４１にてケース３３に圧入されるので、より強固に接続部材（３４ａ，３４ｂ）はケース３３に固定される。そのため、ＤＩＮ端子部４１に外部電源端子（不図示）を接続する際にＤＩＮ端子部４１に大きな荷重が掛かった場合でもＤＩＮ端子部４１が脱落するおそれがなく、接続部材（３４ａ，３４ｂ）がケース３３から外れることはない。
【００３０】
なお、接続部材（３４ａ，３４ｂ）は図７、図８に示すように、ＤＩＮ端子部４１を圧入する際に圧入方向に押さえる接続部５４が平面となっているため、ＤＩＮ端子部４１をケース３３に圧入し易くなっている。
【００３１】
次に、図３に示すようにケース３３の中央位置にある外部端子ケース取付雌ネジ部３３ｂは、外部端子ケース（不図示）を雄ネジによりネジ止めするためのものである。外部端子ケースは制御ボックスと電磁弁１とを電気的に接続するために使用するものであり、ＤＩＮ端子部４１およびアース端子３５と嵌合する雌端子部を有している。外部端子ケースをケース３３に接続するのにネジ止めするのは、電磁弁１が作業者の作業範囲に置かれることがあり、作業者がぶつかる等してソケットが抜けること等を防止するためである。
【００３２】
電磁弁１が駆動しているシリンダー等のアクチュエータは他のアクチュエータと複合的な動作をする場合が多く、ソケットの抜けが大きな事故を発生させる危険があり、十分な安全性をもってしっかりとケース３３と外部端子ケースとを固定しておく必要があるからである。
【００３３】
ケース３３の外部端子ケース取付雌ネジ部３３ｂの上側にアース端子３５の端子部３５ａが突き出している。アース端子３５は図１１に示すように、直角に折り曲げられた金属片であり、折り曲げられた一面が端子部３５ａを形成し、他の一面である折り曲げ部３５ｂの端部には半長孔状の切り欠きが形成され、その切り欠きに外部端子ケースを取り付けるための取付ネジ３６が嵌合されている。
【００３４】
取付ネジ３６は図１１に示すように、六角柱形状のネジ頭部と円柱形状の突起部とよりなり、突起部の中心に雌ネジ部３６ａが形成されている。
【００３５】
磁気枠２３，２４にアースを取るのは、電磁弁使用時に、万一コイル２２から磁気枠２３等の金属部に電流が漏電した場合に、電磁弁の側にいる作業者が感電する危険があり、それを防止するためである。ケース３３がソレノイドに嵌合された状態で、樹脂２８により全体がモールドされてソレノイド部１１が形成される。樹脂２８は、ケース３３と磁気枠２３，２４等との全ての隙間に挿入され凝固し固定される。
【００３６】
次に、弁部１２について図１により説明する。弁部１２を構成する弁本体３７には、入力ポート６１，出力ポート６２とが穿設され、また両ポートを連通させる弁座６３が設けられている。可動鉄心２７の弁座６３に当接する部分に、弾性体で作られた弁体３８が埋め込まれている。可動鉄心２７の下端部は外側にフランジ部を有しており、そのフランジ部の上面に当接して、可動鉄心２７を下向きに付勢するための復帰ばね３９がある。復帰ばね３９の他端はガイドスリーブ２６のフランジ部の下面に当接している。
【００３７】
次に、上記構成を有する電磁弁の動作について説明する。図１は、コイル２２に電流が流されていない状態を示している。可動鉄心２７は、復帰ばね３９により下向きに付勢され、弁体３８が弁座６３に当接している。これにより、入力ポート６１と出力ポート６２とは連通していない。一方、コイル２２に電流が流されると、固定鉄心２５の上下方向に磁界が発生し、固定鉄心２５が可動鉄心２７を吸引する。この吸引力は、復帰ばね３９のばね力よりも強いので、可動鉄心２７は、固定鉄心２５に当接する位置まで移動する。これにより、弁体３８が弁座６３から離れ、入力ポート６１と出力ポート６２とが連通する。
【００３８】
以上のような実施例１により以下のような効果が得られる。
（１）本実施例は、コイルボビン２１の外周に導線が巻かれてなるコイル２２と外部電源とを接続するための端子ケース部１３を有するソレノイド部１１において、端子ケース部１３は、コイル２２に接続されるジョイント部４２と外部電源に接続されるＤＩＮ端子部４１との一体成形品である接続部材（３４ａ，３４ｂ）を有するので、外部電源やコイル端子との位置関係に精度よく対応した接続部材（３４ａ，３４ｂ）を容易に製作できることから製作コストの軽減を図ることができ、ケース３３に接続部材（３４ａ，３４ｂ）を圧入させるだけで端子ケース部１３を組み立てができることから製作作業の負担の削減を図ることができる。
【００３９】
（２）本実施例は、（１）に記載するソレノイド部１１において、接続部材（３４ａ，３４ｂ）は、ジョイント部４２がＬ字型に形成されＬ字型の一端にＤＩＮ端子部４１が形成されているものであって、ジョイント部４２とＤＩＮ端子部４１とが垂直に交わるように形成されているので、（１）に記載する効果に加えて、左右対称の一対の接続部材（３４ａ，３４ｂ）を使用するにより端子間距離が異なる一対の外部電源端子と一対のコイル端子とを接続してコイルと外部電源を接続することができる。
【００４０】
（３）本発明は、（１）または（２）に記載するアクチュエータにおいて、ジョイント部４２には、コイル２２のピン端子２９を接続するためのコイル端子接続孔５３が複数個形成されているので、電磁弁の大きさに応じてピン端子２９の位置が異なる場合でも、ジョイント部４２とピン端子２９を接続することができる。
【実施例２】
【００４１】
実施例２として、次のような形状の接続部材７１を使用した端子ケース部１３を有するソレノイド部１１も考えられる。図１２に接続部材７１の平面図を、図１３に接続部材７１の側面図を示す。図１２に示すように、接続部材７１はＤＩＮ端子部４１に突起部４１ａを設けている。そのため、ケース３３に圧入固定する際にこの突起部４１ａをケース３３の面に当てて固定することにより、２つあるＤＩＮ端子部４１について圧入深さを一律に揃えて、ケース３３の外部面からのＤＩＮ端子部４１の突出量を一律に揃えることができる。なお、接続部材７１として形状が左右対称の一対のものをケース３３に圧入固定するが、ここでは説明の便宜上、一方の形状の接続部材７１のみを紹介している。その他の構成や作用は実施例１と共通するため、以下説明は省略する。
【００４２】
以上のような実施例２により以下のような効果が得られる。
（１）本実施例は、コイルボビン２１の外周に導線が巻かれてなるコイル２２と外部電源とを接続するための端子ケース部１３を有するソレノイド部１１において、端子ケース部１３は、コイル２２に接続されるジョイント部４２と外部電源に接続されるＤＩＮ端子部４１との一体成形品である接続部材７１を有するので、外部電源やコイル端子との位置関係に精度よく対応した接続部材７１を容易に製作できることから製作コストの軽減を図ることができ、ケース３３に接続部材７１を圧入させるだけで端子ケース部１３を組み立てができることから製作作業の負担の削減を図ることができ、ケース３３に圧入固定する際にこの突起部４１ａをケース３３の面に当てて固定することにより、圧入深さを一律に揃えることができる。
【００４３】
（２）本実施例は、（１）に記載するソレノイド部１１において、接続部材７１は、ジョイント部４２がＬ字型に形成されＬ字型の一端にＤＩＮ端子部４１が形成されているものであって、ジョイント部４２とＤＩＮ端子部４１とが垂直に交わるように形成されているので、（１）に記載する効果に加えて、左右対称の一対の接続部材７１を使用するにより端子間距離が異なる一対の外部電源端子と一対のコイル端子とを接続してコイルと外部電源を接続することができる。
【００４４】
（３）本実施例は、（１）または（２）に記載するいずれか一つのソレノイド部１１において、ＤＩＮ端子部４１は突起部４１ａを備えるので、（１）または（２）に記載する効果に加えて、突起部４１ａの位置を管理しつつ突起部４１ａがケース３３に接触する位置まで接続部材７１をケース３３に圧入固定することによりＤＩＮ端子部４１についてケース３３からの突出量を管理することができ、外部電源端子との接続状態を向上させることができる。
【００４５】
（４）本発明は、（１）乃至（３）のいずれか一つに記載するアクチュエータにおいて、ジョイント部４２には、コイル２２のピン端子２９を接続するためのコイル端子接続孔５３が複数個形成されているので、電磁弁の大きさに応じてピン端子２９の位置が異なる場合でも、ジョイント部４２とピン端子２９を接続することができる。
【実施例３】
【００４６】
実施例３として、次のような形状の接続部材７２を使用した端子ケース部１３を有するソレノイド部１１も考えられる。図１４に接続部材７２の平面図を、図１５に接続部材７２の側面図を示す。図１５に示すように、接続部材７２は実施例１の接続部材（３４ａ，３４ｂ）と異なりＤＩＮ端子部４１とジョイント部４２との境目で折り曲げている。その他の構成や作用は実施例１と共通するため、以下説明は省略する。
【００４７】
以上のような実施例３により以下のような効果が得られる。
（１）本実施例は、コイルボビン２１の外周に導線が巻かれてなるコイル２２と外部電源とを接続するための端子ケース部１３を有するソレノイド部１１において、端子ケース部１３は、コイル２２に接続されるジョイント部４２と外部電源に接続されるＤＩＮ端子部４１との一体成形品である接続部材７２を有するので、外部電源やコイル端子との位置関係に精度よく対応した接続部材７２を容易に製作できることから製作コストの軽減を図ることができ、ケース３３に接続部材７２を圧入させるだけで端子ケース部１３を組み立てができることから製作作業の負担の削減を図ることができる。
【００４８】
（２）本実施例は、（１）に記載するソレノイド部１１において、接続部材７２は、ジョイント部４２がＬ字型に形成されＬ字型の一端にＤＩＮ端子部４１が形成されているものであって、ジョイント部４２とＤＩＮ端子部４１とが垂直に交わるように形成されているので、（１）に記載する効果に加えて、左右対称の一対の接続部材７２を使用するにより端子間距離が異なる一対の外部電源端子と一対のコイル端子とを接続してコイルと外部電源を接続することができる。
【００４９】
（３）本発明は、（１）または（２）に記載するアクチュエータにおいて、ジョイント部４２には、コイル２２のピン端子２９を接続するためのコイル端子接続孔５３が複数個形成されているので、電磁弁の大きさに応じてピン端子２９の位置が異なる場合でも、ジョイント部４２とピン端子２９を接続することができる。
【実施例４】
【００５０】
実施例４として、次のような形状の接続部材７３を使用した端子ケース部１３を有するソレノイド部１１も考えられる。図１６に接続部材７３の平面図を、図１７に接続部材７３の側面図を示す。図１６に示すように、ＤＩＮ端子部４１を圧入する際に圧入方向に押さえる接続部５４が平面となっているため、ＤＩＮ端子部４１をケース３３に圧入し易くなっている。また、ＤＩＮ端子部４１に突起部４１ａを設けており、ケース３３に圧入固定する際にこの突起部４１ａをケース３３の面に当てて固定することにより、圧入深さを一律に揃えることができる。なお、接続部材７３として形状が左右対称の一対のものをケース３３に圧入固定するが、ここでは説明の便宜上、一方の形状の接続部材７３のみを紹介している。その他の構成や作用は実施例１と共通するため、以下説明は省略する。
【００５１】
以上のような実施例４により以下のような効果が得られる。
（１）本実施例は、コイルボビン２１の外周に導線が巻かれてなるコイル２２と外部電源とを接続するための端子ケース部１３を有するソレノイド部１１において、端子ケース部１３は、コイル２２に接続されるジョイント部４２と外部電源に接続されるＤＩＮ端子部４１との一体成形品である接続部材７３を有するので、外部電源やコイル端子との位置関係に精度よく対応した接続部材７３を容易に製作できることから製作コストの軽減を図ることができ、ケース３３に接続部材７３を圧入させるだけで端子ケース部１３を組み立てができることから製作作業の負担の削減を図ることができ、ケース３３に圧入固定する際にこの突起部４１ａをケース３３の面に当てて固定することにより、圧入深さを一律に揃えることができる。
【００５２】
（２）本実施例は、（１）に記載するソレノイド部１１において、接続部材７３は、ジョイント部４２がＬ字型に形成されＬ字型の一端にＤＩＮ端子部４１が形成されているものであって、ジョイント部４２とＤＩＮ端子部４１とが垂直に交わるように形成されているので、（１）に記載する効果に加えて、左右対称の一対の接続部材７３を使用するにより端子間距離が異なる一対の外部電源端子と一対のコイル端子とを接続してコイルと外部電源を接続することができる。
【００５３】
（３）本実施例は、（１）または（２）に記載するいずれか一つのソレノイド部１１において、ＤＩＮ端子部４１は突起部４１ａを備えるので、（１）または（２）に記載する効果に加えて、突起部４１ａの位置を管理しつつ突起部４１ａがケース３３に接触する位置まで接続部材７３をケース３３に圧入固定することによりＤＩＮ端子部４１についてケース３３からの突出量を管理することができ、外部電源端子との接続状態を向上させることができる。
【００５４】
（４）本発明は、（１）乃至（３）のいずれか一つに記載するアクチュエータにおいて、ジョイント部４２には、コイル２２のピン端子２９を接続するためのコイル端子接続孔５３が複数個形成されているので、電磁弁の大きさに応じてピン端子２９の位置が異なる場合でも、ジョイント部４２とピン端子２９を接続することができる。
【実施例５】
【００５５】
実施例５として、次のような形状の接続部材７４を使用した端子ケース部１３を有するソレノイド部１１も考えられる。図１８に接続部材７４の平面図を、図１９に接続部材７４の側面図を示す。図１８に示すように、ＤＩＮ端子部４１を圧入する際に圧入方向に押さえる接続部５４が平面となっているため、ＤＩＮ端子部４１をケース３３に圧入し易くなっている。また、ＤＩＮ端子部４１に突起部４１ａを設けており、ケース３３に圧入固定する際にこの突起部４１ａをケース３３の面に当てて固定することにより、圧入深さを一律に揃えることができる。さらに、ジョイント部４２にエッジ４２ａが設けられているので、ピン端子２９がコイル端子接続孔５３に案内され、コイルホビン２１のピン端子２９との接続状態を確実に維持することができる。なお、接続部材７４として形状が左右対称の一対のものをケース３３に圧入固定するが、ここでは説明の便宜上、一方の形状の接続部材７１のみを紹介している。その他の構成や作用は実施例１と共通するため、以下説明は省略する。
【００５６】
以上のような実施例５により以下のような効果が得られる。
（１）本実施例は、コイルボビン２１の外周に導線が巻かれてなるコイル２２と外部電源とを接続するための端子ケース部１３を有するソレノイド部１１において、端子ケース部１３は、コイル２２に接続されるジョイント部４２と外部電源に接続されるＤＩＮ端子部４１との一体成形品である接続部材７４を有するので、外部電源やコイル端子との位置関係に精度よく対応した接続部材７４を容易に製作できることから製作コストの軽減を図ることができ、ケース３３に接続部材７４を圧入させるだけで端子ケース部１３を組み立てができることから製作作業の負担の削減を図ることができる。
【００５７】
（２）本実施例は、（１）に記載するソレノイド部１１において、接続部材７４は、ジョイント部４２がＬ字型に形成されＬ字型の一端にＤＩＮ端子部４１が形成されているものであって、ジョイント部４２とＤＩＮ端子部４１とが垂直に交わるように形成されているので、（１）に記載する効果に加えて、左右対称の一対の接続部材７４を使用するにより端子間距離が異なる一対の外部電源端子と一対のコイル端子とを接続してコイルと外部電源を接続することができる。
【００５８】
（３）本実施例は、（１）または（２）に記載するいずれか一つのソレノイド部１１において、ＤＩＮ端子部４１は突起部４１ａを備えるので、（１）または（２）に記載する効果に加えて、突起部４１ａの位置を管理しつつ突起部４１ａがケース３３に接触する位置まで接続部材７４をケース３３に圧入固定することによりＤＩＮ端子部４１についてケース３３からの突出量を管理することができ、外部電源端子との接続状態を向上させることができる。
【００５９】
（４）本発明は、（１）乃至（３）のいずれか一つに記載するアクチュエータにおいて、ジョイント部４２には、コイル２２のピン端子２９を接続するためのコイル端子接続孔５３が複数個形成されているので、電磁弁の大きさに応じてピン端子２９の位置が異なる場合でも、ジョイント部４２とピン端子２９を接続することができる。
【００６０】
尚、本発明は前記実施形態に限定されるものではなく、その趣旨を逸脱しない範囲で様
々な変更が可能である。
【図面の簡単な説明】
【００６１】
【図１】本発明の実施例である電磁弁の断面図である。
【図２】本発明の実施例である電磁弁の上面図である。
【図３】ソレノイド部の側面図である。
【図４】ソレノイド部の構成を示す斜視図である。
【図５】端子ケース部の平面図である。
【図６】図５のＡ−Ａ断面図である。
【図７】接続部材の平面図である。
【図８】接続部材の平面図である。
【図９】接続部材の側面図である。
【図１０】ケースに接続部材を圧入固定するときの概要図である。
【図１１】アース端子部の構成を示す図である。
【図１２】接続部材（変形例）の平面図である。
【図１３】接続部材（変形例）の側面図である。
【図１４】接続部材（変形例）の平面図である。
【図１５】接続部材（変形例）の側面図である。
【図１６】接続部材（変形例）の平面図である。
【図１７】接続部材（変形例）の側面図である。
【図１８】接続部材（変形例）の平面図である。
【図１９】接続部材（変形例）の側面図である。
【図２０】従来のＤＩＮ端子箱の平面図である。
【図２１】図２０のＡ−Ａ断面図である。
【図２２】従来のＤＩＮ端子箱において、ケースにＤＩＮ端子を圧入固定するときの概要図である。
【符号の説明】
【００６２】
１  電磁弁
１１  ソレノイド部
１２  弁部
１３  端子ケース部
２１  コイルホビン
２２  コイル
２３  磁気枠
２４  磁気枠
２４ａ側板部
２５  固定鉄心
２７  可動鉄心
２９  ピン端子
３１  ピン端子用開口部
３３  ケース
３３ａ貫通孔
３４ａ接続部材
３４ｂ接続部材
３７  弁本体
４１  ＤＩＮ端子部
４２  ジョイント部
５１  長部
５２  短部
５３  コイル端子接続孔 
【図１】
2007134553.tif 000003
【図２】
2007134553.tif 000004
【図３】
2007134553.tif 000005
【図４】
2007134553.tif 000006
【図５】
2007134553.tif 000007
【図６】
2007134553.tif 000008
【図７】
2007134553.tif 000009
【図８】
2007134553.tif 000010
【図９】
2007134553.tif 000011
【図１０】
2007134553.tif 000012
【図１１】
2007134553.tif 000013
【図１２】
2007134553.tif 000014
【図１３】
2007134553.tif 000015
【図１４】
2007134553.tif 000016
【図１５】
2007134553.tif 000017
【図１６】
2007134553.tif 000018
【図１７】
2007134553.tif 000019
【図１８】
2007134553.tif 000020
【図１９】
2007134553.tif 000021
【図２０】
2007134553.tif 000022
【図２１】
2007134553.tif 000023
【図２２】
2007134553.tif 000024